(57)【要約】      （修正有）【課題】エアーポンプで発生する騒音、各エアーバッグの入口配管に接続して設けられる給排気切換用電磁弁におけるエアー通過音及びエアーバッグへ圧縮エアーを供給するときにエアーバッグで発生するエアー通過音を低下させることを可能にしたエアーマッサージ機を提供すること。【解決手段】エアーバッグ２、３、４の入口配管２１、２２、２３に膨張型マフラー２５、２６、２７を設ける。また、膨張型マフラーとエアーバッグとの間の入口配管をエアーバッグ側に行くに従い配管径が大となるように形成する。【選択図】        図１
2004195114.tif 000002
【特許請求の範囲】
【請求項１】
被施療部を押圧するための複数のエアーバッグと、エアーバッグに圧縮エアーを供給するエアーポンプと、エアーポンプから吐出された吐出エアーを各エアーバッグに供給する分岐給気管と、各分岐給気管に接続された給排気切換用電磁弁と、各給排気切換用電磁弁と各エアーバッグとを接続する入口配管と、各入口配管中に接続された膨張型マフラーとを有し、前記入口配管におけるマフラーとエアーバッグとを接続する配管部分は、エアーバッグ側に行くに従い配管径が大となるように形成されていることを特徴とするエアーマッサージ機。
【発明の詳細な説明】
【０００１】
【発明の属する技術分野】
本発明は、被施療部を押圧するための複数のエアーバッグを備え、このエアーバッグを給排気することによりマッサージを行うエアーマッサージ機に関する。
【０００２】
【従来の技術】
被施療部を押圧するための複数のエアーバッグを備え、このエアーバッグを給排気することによりマッサージを行うエアーマッサージ機としては、例えば、特許文献１に記載されているようなものが従来知られている。この従来のものでは、敷き布団やマットレスのような敷き寝具の上面に４個の空気袋（エアーバッグ）が配置され、エアーコンプレッサー（エアーポンプ）の吐出側に１個の消音器（マフラー）を介して分配弁が接続され、またこの分配弁から４本のホースにより４個のエアーバッグが接続されている。
【０００３】
【特許文献１】
特開平８−８９５３９号公報
【０００４】
【発明が解決しようとする課題】
したがって、上述のエアーマッサージ機では、エアーコンプレッサーから吐出されたエアーは、消音器、分配弁、空気袋を接続するエアーホースを介してエアーバッグに供給される。その際、エアーコンプレッサーの駆動により騒音が発生する。また、上述のエアーマッサージ機においては、圧縮エアーが分配弁を通過するときにエアー通過音が発生するとともに、圧縮エアーが収縮したエアーバッグ内の狭い空所へ高速で流入され、この狭い空所を通して全体に浸透する際にもエアー通過音が発生する。
しかしながら、このエアーマッサージ装置では、エアーコンプレッサーの出口側に消音器が設置されているので、エアーコンプレッサーで発生した騒音は消音されるが、圧縮エアーを供給する際に分配弁のような弁類で発生するエアー通過音や、空気袋に圧縮エアーが供給されるときのエアー通過音を低下させることができないという問題があった。
【０００５】
本発明はこのような従来技術の問題点に着目してなされたものである。その目的とするところは、エアーポンプで発生する騒音、各エアーバッグの入口配管に接続して設けられる給排気切換用電磁弁におけるエアー通過音及びエアーバッグへ圧縮エアーを供給するときにエアーバッグで発生するエアー通過音を低下させることを可能にしたエアーマッサージ機を提供することにある。
【０００６】
【課題を解決するための手段】
上記目的を達成するために、本発明に係るエアーマッサージ機は、被施療部を押圧するための複数のエアーバッグと、エアーバッグに圧縮エアーを供給するエアーポンプと、エアーポンプから吐出された吐出エアーを各エアーバッグに供給する分岐給気管と、各分岐給気管に接続された給排気切換用電磁弁と、各給排気切換用電磁弁と各エアーバッグとを接続する入口配管と、各入口配管中に接続された膨張型マフラーとを有し、前記入口配管におけるマフラーとエアーバッグとを接続する配管部分は、エアーバッグ側に行くに従い配管径が大となるように形成されていることを特徴とする。
【０００７】
このエアーマッサージ機によれば、エアーポンプから吐出されたエアーは、給排気切換用電磁弁、膨張型マフラー、入口配管を介してエアーバッグに供給される。その際、エアーポンプ駆動による騒音が発生するとともに、給排気切換用電磁弁において圧縮エアーが通過することによる高周波のエアー通過音が発生するが、これら騒音やエアー通過音は膨張型マフラーにより消音される。また、膨張型マフラーを通過した後のエアーは、エアーバッグ側に行くに従い配管径が大となるように形成された入口配管を通してエアーバッグに流入するので、エアーバッグ流入口でのエアーの流速が減少され、エアーバッグ入口でのエアー通過音が低下する。このように本発明に係るエアーマッサージ機によればエアーバッグへの給気時における騒音やエアー通過音を低下させることができる。
【０００８】
【発明の実施の形態】
以下、この発明を具体化した実施の形態に係るエアーマッサージ機を図１及び図２に基づいて説明する。図１は本発明に係るエアーマッサージ機の概略構成図である。図２は同エアーマッサージ機の給排気回路図である。
【０００９】
本実施の形態に係るエアーマッサージ機は、図１に示すように、このエアーマッサージ機本体としてのマット１、マット１上面に配設された３個のエアーバッグ２、３、４、このエアーバッグ２、３、４にエアーを給気し、又はこのエアーバッグ２、３、４のエアーを排気する給排気回路５などから構成されている。
【００１０】
マット１は、身体支持台として平面視長方形状でかつ肉厚に形成されている。また、マット１は、例えば通気性を有する発泡ウレタンフォームなどからなる軟質部材により構成されている。
エアーバッグ２、３、４は、マット１上において、使用者が仰向けに横たわった場合に、使用者の脚部をマッサージできるように配設されている。
【００１１】
給排気回路５は、適宜の運転モードでエアーバッグ２、３、４にエアーを給気し、又はエアーバッグ２、３、４のエアーを排気するものである。また、給排気回路５は、エアーポンプ１０、エアーポンプ１０から吐出されたエアーを供給する主給気管１１、主給気管１１から分岐された分岐給気管１２、１３、１４、この分岐給気管１２、１３、１４に接続された給排気切換用電磁弁（この場合三方電磁弁）１５、１６、１７、この三方電磁弁１５、１６、１７とエアーバッグ２、３、４とを連通する入口配管２１、２２、２３、この入口配管２１、２２、２３中に接続された膨張型マフラーなどから構成されている。
【００１２】
また、入口配管２１、２２、２３における膨張型マフラー２５、２６、２７とエアーバッグ２、３、４との間の部分は、エアーバッグ側に行くに従い配管径が大となるように形成されている。例えば、入口配管２１について言えば、配管径が段段に大径となる配管２１ａ、２１ｂ、２１ｃから形成されている。なお、入口配管２２及び入口配管２３についても同様に形成されている。
【００１３】
三方電磁弁１５、１６、１７は、分岐給気管１２、１３、１４と入口配管２１、２２、２３とを連通する導通位置（給気位置）Ａと、エアーバッグ２、３、４からの排気を入口配管２１、２２、２３を介して排気可能とするように入口配管２１、２２、２３を外気に開放する開放位置（排気位置）Ｂとの間で切換可能とされている。したがって、三方電磁弁１５、１６、１７は、導通位置Ａに切り換えられたときに、分岐給気管１２、１３、１４からのエアーを入口配管２１、２２、２３を介してエアーバッグ２、３、４に供給することができ、開放位置Ｂに切り換えられたときに、エアーバッグ２、３、４のエアーを入口配管２１、２２、２３を介して外気に導くことができる。
なお、これら三方電磁弁１５、１６、１７の切換制御は適宜の所定モードに従い制御されるものであって、ここでは詳細の説明を省略する。
【００１４】
上記のように構成されたエアーマッサージ機において、エアーバッグ２、３、４を膨張させるときは、三方電磁弁１５、１６、１７を導通位置Ａとすることにより行われる。これにより、エアーポンプ１０から吐出された圧縮エアーは、主給気管１１、分岐給気管１２、１３、１４、三方電磁弁１５、１６、１７、入口配管２１、２２、２３、膨張型マフラー２５、２６、２７を介してエアーバッグ２、３、４へ供給される。この場合において、エアーポンプ１０が駆動されることによりエアーポンプ１０で騒音が発生する。また、給排気切換用電磁弁１５、１６、１７において圧縮エアー通過による高周波のエアー通過音が発生する。しかし、これら騒音やエアー通過音は膨張型マフラーにより消音される。
【００１５】
また、膨張型マフラー２５、２６、２７を通過した後のエアーは、エアーバッグ２、３、４側に行くに従い配管径が大となるように形成された入口配管２１、２２、２３を通してエアーバッグに流入するので、エアーバッグ２、３、４の流入口でのエアーの流速が減少され、エアーバッグ２、３、４入口でのエアー通過音が低下する。
【００１６】
なお、上記実施の形態において、エアーバッグ２、３、４は、３個の例を示したが、この個数に限定されるものではない。
また、エアーバッグ２、３、４は、脚部をマッサージするものとして記載したが腰部などの他の被施療部をマッサージするものとしてもよい。
また、本実施の形態においては、マット上にエアーバッグ２、３、４を配置する所謂マット式エアーマッサージ機について例示したが、これに限定されるものではなく椅子式等の他の形式のエアーマッサージ機に応用できることは言うまでもない。
【００１７】
【発明の効果】
この発明のエアーマッサージ機によれば、エアーバッグへ給気するときの騒音やエアー通過音を低下させることができる。
【図面の簡単な説明】
【図１】本発明に係るエアーマッサージ機の概略構成図である。
【図２】同エアーマッサージ機の給排気回路図である。
【符号の説明】
１     マット
２〜４ エアーバッグ
５     給排気回路
１０   エアーポンプ
１１   主給気管
１２〜１４    分岐給気管
１５〜１７    給排気切換用電磁弁（三方電磁弁）
２１〜２３    入口配管
２５〜２７    （膨張型）
【図１】
2004195114.tif 000003
【図２】
2004195114.tif 000004